(57)【特許請求の範囲】
【請求項１】
内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材あるいは係止部材に形成されたリング状の係止溝に係止されるＯリングあるいは係止片とで構成したことを特徴とする化粧品用容器。
【請求項２】
内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材あるいは係止部材に形成された一部に取り外し用の切り欠部を有するリング状の係止溝に係止されるＯリングとで構成したことを特徴とする化粧品用容器。
【請求項３】
内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材あるいは係止部材に形成されたリング状の係止溝に係止されるＯリングと、このＯリングに係止状態で取付けられた該Ｏリングを取り外すためのＯリング取り外し片とで構成したことを特徴とする化粧品用容器。
【請求項４】
内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材と対向する部位に外方へ突出する一対の係止片あるいは係止部材の先端部の対向する部位に外方へ突出する一対の係止片に挿入して回動させることにより係止させることができる係止板とで構成したことを特徴とする化粧品用容器。
【発明の詳細な説明】
【０００１】
【発明の属する技術分野】
本発明は化粧クリーム、化粧乳液、化粧水等の化粧品を収納する、飾りを設けた化粧品用容器に関する。
【０００２】
【従来の技術】
従来、この種の化粧品用容器はガラスあるいは合成樹脂材で形成された化粧品用容器本体と、この化粧品用容器本体の上下部に接着剤あるいは両面テープで固定された該上下部をそれぞれ覆う金属材あるいは合成樹脂材製の飾りとで構成されている。
【０００３】
【発明が解決しようとする課題】
従来、この種の化粧品用容器はリサイクルを行なう場合、化粧品用容器本体と飾りとが異なる材質であるため、化粧品用容器本体と飾りとを分離しなければならないが、接着剤あるいは両面テープで固定されているため容易に分離できず、手数がかかるためリサイクルが不可能であるという欠点があった。
【０００４】
本発明は以上のような従来の欠点に鑑み、化粧品用容器本体と上・下飾りとを容易に楽な作業で分離できるようにして、リサイクルが可能な化粧品用容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材あるいは係止部材に形成されたリング状の係止溝に係止されるＯリングあるいは係止片とで化粧品用容器を構成している。
【０００７】
【発明の実施の形態】
以下、図面に示す実施の形態により、本発明を詳細に説明する。
【０００８】
図１ないし図８に示す本発明の第１の実施の形態において、１は化粧クリーム、化粧乳液、化粧水等の化粧品を収納することができるガラスあるいは合成樹脂材製の化粧品用容器本体で、この化粧品用容器本体１は図５に示すように上部中央部に外方へ突出するように形成されたねじキャップ２が着脱可能に取付けられる外周部にねじ部３が形成された口部材４と、この口部材４の根元寄りの外周部に形成されたリング状の係止溝５と、底面中央部より外方に突出するように形成された係止部材６と、この係止部材６の外周部に形成されたリング状の係止溝７とが設けられている。
【０００９】
８は前記化粧品用容器本体１の上部を覆うように着脱可能に固定された上部飾りで、この上部飾り８は図６に示すように中央部に前記口部材４が挿入される口部材挿入孔９が形成された前記化粧品用容器本体１の上部を覆う該化粧品用容器本体１の材質とは異なる材質、例えば金属材あるいは合成樹脂材製の上部飾り本体１０と、この上部飾り本体１０を前記化粧品用容器本体１に着脱可能に固定する前記リング状の係止溝５に係止されるＯリング１１とで構成されている。
【００１０】
１２は前記化粧品用容器本体１の下部を覆うように着脱可能に固定された下部飾りで、この下部飾り１２は図７に示すように中央部に係止部材６が挿入される係止部材挿入孔１３が形成された、前記化粧品用容器本体１の下部を覆う該化粧品用容器本体１の材質とは異なる材質、例えば金属材あるいは合成樹脂材製の下部飾り本体１４と、この下部飾り本体１４を前記化粧品用容器本体１に着脱可能に固定する、前記リング状の係止溝７に係止されるＯリング１５とで構成されている。
【００１１】
上記構成の化粧品用容器１６はリサイクルする場合、図８に示すように口部材４のリング状の係止溝５および係止部材６のリング状の係止溝７からのＯリング１１、１５をそれぞれ取り外すことにより、化粧品用容器本体１と上部飾り本体１０および下部飾り本体１４にそれぞれ分離して、材質毎に再利用を図ることができる。
【００１２】
【発明の異なる実施の形態】
次に、図９ないし図２８に示す本発明の異なる実施の形態につき説明する。なお、これらの本発明の異なる実施の形態の説明に当つて、前記本発明の第１の実施の形態と同一構成部分には同一符号を付して重複する説明を省略する。
【００１３】
図９および図１０に示す本発明の第２の実施の形態において、前記本発明の第１の実施の形態と主に異なる点は、底面に係止部材が形成されていない化粧品用容器本体１Ａに上部飾り８だけを取付けた点で、このように構成した化粧品用容器１６Ａにしても前記本発明の第１の実施の形態と同様な作用効果が得られる。
【００１４】
図１１および図１２に示す本発明の第３の実施の形態において、前記本発明の第１の実施の形態と主に異なる点は、上部に上部飾りを取付けない形状に形成した化粧品用容器本体１Ｂに下部飾り１２だけを取付けた点で、このように構成した化粧品用容器１６Ｂにしても、前記本発明の第１の実施の形態と同様な作用効果が得られる。
【００１５】
図１３ないし図１６に示す本発明の第４の実施の形態において、前記本発明の第１の実施の形態と主に異なる点は、Ｏリングに代えＣ字状の係止リング１７、１７で上部飾り本体１０と下部飾り本体１４を着脱可能に固定した点で、このように構成した化粧品用容器１６Ｃにしても、前記本発明の第１の実施の形態と同様な作用効果が得られる。
【００１６】
なお、前記本発明の第２および第３の実施の形態のＯリングに代え、Ｃ字状の係止リングを用いても同様な作用効果が得られる。
【００１７】
図１７ないし図２０に示す本発明の第５の実施の形態において、前記本発明の第１の実施の形態と主に異なる点は、リング状の係止溝５、７に係止されたＯリング１１、１５を容易に取り外せるようにリング状の係止溝５、７を形成する外側片５ａ、７ａの一部にピンやナイフを挿入することができる切り欠部１８、１８を形成した点で、このように構成した化粧品用容器１６Ｄにしても、前記本発明の第１の実施の形態と同様な作用効果が得られるとともに、Ｏリング１１、１５の取り外しを容易に行なうことができる。
【００１８】
図２１ないし図２４に示す本発明の第６の実施の形態において、前記本発明の第１の実施の形態と主に異なる点は、リング状の係止溝５、７に係止されたＯリング１１、１５を容易に取り外せるように該Ｏリング１１、１５に一端が上部飾り本体１０、下部飾り本体１４に固定された取り外し片１９、１９を通して取付けた点で、このように構成した化粧品用容器１６Ｅにしても、前記本発明の第１の実施の形態と同様な作用効果が得られるとともに、取り外し片１９、１９の遊端部を引張ることにより、容易にＯリング１１、１５を取り外すことができる。
【００１９】
図２５ないし図２８に示す本発明の第７の実施の形態において、前記本発明の第１の実施の形態と主に異なる点は、口部材４のリング状の係止溝５の外側片５ａの対向する部位に、外方へ突出する一対の係止片２０、２０を形成するとともに、係止部材６のリング状の係止溝７の外側片７ａの対向する部位に外方へ突出する一対の係止片２１、２１を形成した化粧品用容器本体１Ｃと、前記口部材４の一対の係止片２０、２０が挿入される挿入孔２２を有し、ほぼ９０度回動させることにより上部飾り本体１０を係止させることができる係止板２３と、前記係止部材６の一対の係止片２１、２１が挿入される挿入孔２４を有し、ほぼ９０度回動させることにより下部飾り本体１４を係止させることができる係止板２５とを用いた点で、このように構成した化粧品用容器１６Ｆにしても、前記本発明の第１の実施の形態と同様な作用効果が得られる。
【００２０】
なお、前記本発明の第５、第６、第７の実施の形態では上部飾りと下部飾りとを用いたものについて説明したが、いずれか一方だけの飾りを用いたものにしてもよく、あるいは上部飾りと下部飾りとが異なる実施の形態のものを用いてもよい。
【００２１】
【発明の効果】
以上の説明から明らかなように、本発明にあっては次に列挙する効果が得られる。
【００２２】
（１）内部に化粧品を収納することができる上部中央部にキャップが着脱可能に取付けられる化粧品用容器本体と、この化粧品用容器本体の上・下部のいずれか一方あるいは両方に固定された該化粧品用容器本体の材質とは異なる材質の上・下飾りとからなる化粧品用容器において、前記上・下飾りを前記化粧品用容器本体の上下面をそれぞれ着脱可能に覆うことができる中央部に口部材挿入孔あるいは底面中央部に突出する係止部材が挿入される係止部材挿入孔が形成された上・下飾り本体と、この上・下飾り本体を着脱可能に前記化粧品用容器本体に固定する前記口部材あるいは係止部材に形成されたリング状の係止溝に係止されるＯリングあるいは係止片とで構成されているので、Ｏリングを外すだけで化粧品用容器本体と上部飾り本体あるいは下部飾り本体とに分離することができる。
したがって、容易に短時間に材質毎の部品に分離することができ、リサイクルして再利用することができる。
【００２３】
（２）前記（１）によって、従来のように接着剤や両面テープを用いなくても組付けることができるので、組付けが容易で、短時間に行なうことができる。
【００２４】
（３）前記（１）によって、各材質毎に分離できるので材質毎に再利用でき、経済的に使用することができるとともに、産業廃棄物の低減を図ることができる。
【００２５】
（４）請求項２、３、４も前記（１）〜（３）と同様な効果が得られる。
【図面の簡単な説明】
【図１】本発明の第１の実施の形態の斜視図。
【図２】本発明の第１の実施の形態の平面図。
【図３】本発明の第１の実施の形態の底面図。
【図４】本発明の第１の実施の形態の縦断面図。
【図５】本発明の第１の実施の形態の化粧品用容器本体の説明図。
【図６】本発明の第１の実施の形態の上部飾りの説明図。
【図７】本発明の第１の実施の形態の下部飾りの説明図。
【図８】本発明の第１の実施の形態の一部破断分解斜視図。
【図９】本発明の第２の実施の形態の斜視図。
【図１０】本発明の第２の実施の形態の一部破断分解斜視図。
【図１１】本発明の第３の実施の形態の斜視図。
【図１２】本発明の第３の実施の形態の一部破断分解斜視図。
【図１３】本発明の第４の実施の形態の斜視図。
【図１４】本発明の第４の実施の形態の平面図。
【図１５】本発明の第４の実施の形態の底面図。
【図１６】本発明の第４の実施の形態の一部破断分解斜視図。
【図１７】本発明の第５の実施の形態の斜視図。
【図１８】本発明の第５の実施の形態の平面図。
【図１９】本発明の第５の実施の形態の底面図。
【図２０】本発明の第５の実施の形態の一部破断分解斜視図。
【図２１】本発明の第６の実施の形態の斜視図。
【図２２】本発明の第６の実施の形態の底面を示すの斜視図。
【図２３】本発明の第６の実施の形態のＯリングの取り外す場合の説明図。
【図２４】本発明の第６の実施の形態の一部破断分解斜視図。
【図２５】本発明の第７の実施の形態の斜視図。
【図２６】本発明の第７の実施の形態の底面を示す斜視図。
【図２７】本発明の第７の実施の形態の係止板を取り外す場合の説明図。
【図２８】本発明の第７の実施の形態の一部破断分解斜視図。
【符号の説明】
１、１Ａ、１Ｂ、１Ｃ：化粧品用容器本体、
２：キャップ、
３：ねじ部、
４：口部材、
５：リング状の係止溝、
６：係止部材、
７：リング状の係止溝、
８：上部飾り、
９：口部材挿入孔、
１０：上部飾り本体、
１１：Ｏリング、
１２：下部飾り、
１３：係止部材挿入孔、
１４：下部飾り本体、
１５：Ｏリング、
１６、１６Ａ〜１６Ｆ：化粧品用容器、
１７：Ｃ字状の係止リング、
１８：切り欠部、
１９：取り外し片、
２０：係止片、
２１：係止片、
２２：挿入孔、
２３：係止板、
２４：挿入孔、
２５：係止板。
【図１】
0003859792.tif 000002
【図２】
0003859792.tif 000003
【図３】
0003859792.tif 000004
【図４】
0003859792.tif 000005
【図５】
0003859792.tif 000006
【図６】
0003859792.tif 000007
【図７】
0003859792.tif 000008
【図８】
0003859792.tif 000009
【図９】
0003859792.tif 000010
【図１０】
0003859792.tif 000011
【図１１】
0003859792.tif 000012
【図１２】
0003859792.tif 000013
【図１３】
0003859792.tif 000014
【図１４】
0003859792.tif 000015
【図１５】
0003859792.tif 000016
【図１６】
0003859792.tif 000017
【図１７】
0003859792.tif 000018
【図１８】
0003859792.tif 000019
【図１９】
0003859792.tif 000020
【図２０】
0003859792.tif 000021
【図２１】
0003859792.tif 000022
【図２２】
0003859792.tif 000023
【図２３】
0003859792.tif 000024
【図２４】
0003859792.tif 000025
【図２５】
0003859792.tif 000026
【図２６】
0003859792.tif 000027
【図２７】
0003859792.tif 000028
【図２８】
0003859792.tif 000029